(57)【要約】      （修正有）【課題】服飾類を傷めることなく、使用者の好みに応じて、大きさの異なる複数の装着物を同時にかつ容易に脱着できる装着物の係止部構造およびその用途を提供する。【解決手段】平行に配置された伸縮性のある第１部材に対し、前記伸縮性のある第１部材とは横幅の異なる伸縮性のある第２部材を、ほぼ隙間なく交互に浮き沈みさせて通し、編目状に形成されたことを特徴とする装着物６の係止部構造と、前記装着物６の係止部構造に係止可能となるように係止部が構成された装着物６の係止部により、使用者の好みに応じて大きさの異なる複数の装着物６を同時にかつ容易に脱着することができる。また、その用途については、脱着孔を設けた服飾類の内側を塞ぐ手段として、前記装着物６の係止部構造を配置し形成されたことを特徴とする係止パッド１１となる。前記係止パッド１１は、服飾類を傷めることなく複数の装着物６を同時にかつ容易に脱着することができる。【選択図】図１１
2013042943.tif 000002
【特許請求の範囲】
【請求項１】
平行に配置された伸縮性のある第１部材に対し、前記伸縮性のある第１部材とは横幅の異なる伸縮性のある第２部材を、ほぼ隙間なく交互に浮き沈みさせて通し、編目状に形成されたことを特徴とする装着物の係止部構造。  
【請求項２】
装着物には、前記係止部構造に係止可能となるように構成された係止部を設けたことを特徴とする請求項１記載の装着物の係止部構造。     
【請求項３】
服飾類に脱着孔を設け、その脱着孔の内側を塞ぐ請求項１記載の装着物の係止部構造を配置し形成されている係止パッド。
【発明の詳細な説明】
【技術分野】
【０００１】
本発明は、大きさの異なる装着物を、複数同時に装着できる係止部構造およびその用途に関するものである。      
【背景技術】
【０００２】
従来、単数または複数の装着物を服飾類に取り付ける場合、服飾類に縫着や接着により固定する方法が取られている。
【０００３】
また、それらの装着物は容易に取り外せないように施されている。 
【先行技術文献】
【特許文献】
【０００４】
【特許文献１】実用新案登録３０６３３７３号公報
【特許文献２】特開２００２−１１５１１３号公報
【発明の概要】
【発明が解決しようとする課題】
【０００５】
これは、次のような欠点があった。従来、劣化により服飾類に固定された装着物の交換が必要となったとき、装着物を容易に取り替えることができなかった。
【０００６】
関心の喪失により、服飾類に固定された装着物が不要となったとき、装着物を容易に取り外すことができなかった。
【０００７】
服飾類に固定された装着物のみが不要となったとき、強引に取り外そうとすると、装着物および服飾類を傷つけてしまうことがあった。
【０００８】
服飾類と装着物が一体化しているため、使用者の好みに応じて、新たに複数の装着物を服飾類へ脱着することが容易にできなかった。本発明は、以上のような問題点をなくすためになされた装着物の係止部構造およびその用途を提供する。
【課題を解決するための手段】
【０００９】
本発明は、かかる課題を解決するため鋭意検討した結果、以下の通りである。
（１）平行に配置された伸縮性のある第１部材に対し、前記伸縮性のある第１部材とは横幅の異なる伸縮性のある第２部材を、ほぼ隙間なく交互に浮き沈みさせて通し、編目状に形成されたことを特徴とする装着物の係止部構造。  
（２）装着物には、前記係止部構造に係止可能となるように構成された係止部を設けたことを特徴とする前記（１）に記載の装着物の係止部構造。     
（３）服飾類に脱着孔を設け、その脱着孔の内側を塞ぐ前記（１）に記載の装着物の係止部構造を配置し形成されている係止パッド。
【発明の効果】
【００１０】
本発明によれば、装着物の係止部構造と、前記装着物の係止部構造に係止可能となるように構成された係止部を設けた装着物の係止部により、装着物を容易に脱着することができる。
【００１１】
よって、破損や劣化により前記装着物の交換が必要となったとき、他の装着物に容易に取り替えることができる。
【００１２】
また、装着物の係止部構造を配置し形成されている係止パッドを、鞄の持ち手などの服飾類へ装着させた場合、関心の喪失から装着物が不要となったときであっても、前記服飾類および前記装着物を傷つけずに容易に係止部から取り外すことができる。
【００１３】
前記係止パッドによれば、使用者の好みに応じて、新たに大きさの異なる複数の装着物を、前記服飾類へ同時に取り付けることも容易にできる。
【００１４】
なお、本発明である装着物の係止部構造そのものを、係止パッドを介さずに、鞄の持ち手などの服飾類に直接施された場合であっても、本発明の効果は同様に得られる。
【図面の簡単な説明】
【００１５】
【図１】本発明にかかる帯状弾性体で形成された装着物の係止部構造の斜視図である。
【図２】同装着物の係止部構造の変形例を示す斜視図である。
【図３】図１における帯状弾性体で形成された係止部を引き伸ばした斜視図である。
【図４】本発明にかかる装着物の係止部構造を配置し形成された係止パッドの斜視図である。
【図５】図４における係止パッドの裏面を示す斜視図である。
【図６】本発明にかかる装着物の係止部構造を配置し形成された係止パッドの分解斜視図である。
【図７】本発明にかかる装着物の係止部構造を配置し形成された係止パッドが鞄の持ち手に装着される形態を示す斜視図である。
【図８】図１における帯状弾性体で形成された係止部に、装着物が取り付けられる形態を示す正面図である。
【図９】図1における帯状弾性体で形成された係止部に、大きさの異なる複数の装着物が同時に取り付けられる形態を示す裏面図である。
【図１０】図７に装着物が取り付けられた形態を示す断面図である。
【図１１】図７に大きさの異なる複数の装着物が同時に取り付けられた形態を示す斜視図である。
【図１２】本発明にかかる装着物の係止部構造を配置し形成された係止パッドの実施形態を示す斜視図である。
【図１３】図１２の係止パッドを、鞄の持ち手より下へ移動させた実施形態を示す図である。
【発明を実施するための形態】
【００１６】
以下、本発明を図１〜図１３に基づいて具体的に説明するが、本発明はこれら実施形態のみに限定されるものではない。  
【００１７】
本発明は、平行に配置された伸縮性のある第１部材に対し、前記伸縮性のある第１部材とは横幅の異なる伸縮性のある第２部材を、ほぼ隙間なく交互に浮き沈みさせて通し、編目状に形成されたことを特徴とする装着物の係止部構造に関するものである。  
【００１８】
本発明の装着物の係止部構造において、伸縮性のある第１部材および伸縮性のある第２部材は、装着物の係止に大きく影響するため重要である。ここで伸縮性のある部材の材質については、係止効果として好ましい帯状弾性体を用いて説明を行う。
【００１９】
本発明である装着物の係止部構造は図１のように、帯状弾性体１Ａと帯状弾性体1Ｂが横に平行に配置され、複数の帯状弾性体２を帯状弾性体1Ａおよび帯状弾性体１Ｂに対し
、ほぼ隙間なく交互に浮き沈みさせて通し、編目状に形成される。
【００２０】
本発明は、帯状弾性体１および帯状弾性体２をほぼ隙間なく交互に浮き沈みさせて通し
、編目状に形成された係止部構造本体Ａの帯状弾性体１および帯状弾性体２の交差するわずかな隙間が係止孔３となり、図８のように係止孔３に装着物の軸部５が挟み込まれて収縮される。その結果、図９のように装着物の係止部４が係止孔３に係止される。
【００２１】
そのため、装着物６を取り付けるときは、係止部構造本体Ａの上面および下面を直に指でつまみ引き伸ばし、図３のように係止孔３の隙間を広げて、装着物の係止部４が通過できる孔をつくる。
【００２２】
なお、図２のように帯状弾性体２を、１本の帯状弾性体２にして配置し、帯状弾性体1Ａおよび帯状弾性体１Ｂに対して、八の字状に交互に浮き沈みさせて通し、編目状に形成された場合においても本発明の装着物の係止部構造の効果は同様である。よって、用途に応じて図１または図２のどちらの形状が使用されても差し支えない。
【００２３】
また、帯状弾性体１および帯状弾性体２の一方または両方に、帯状弾性体以外の伸縮性のある部材を使用し、ほぼ隙間なく交互に浮き沈みさせて通し、編目状に係止部構造本体Ａが形成された場合においても、係止孔３は形成されるが、帯状弾性体1および帯状弾性体２で形成された係止孔３よりも、係止部としての収縮力が劣るため、装着物の係止部構
造として好ましいとは言えない。
【００２４】
図１および図２のように、係止部構造本体Ａが形成される帯状弾性体１および帯状弾性体２のそれぞれの横幅については、好ましくは同一の横幅ではなく、帯状弾性体１の横幅は広いものが配置され、帯状弾性体２の横幅は、帯状弾性体１の横幅よりも狭いものを配置された方がよい。そのような配置および形成が用いられた場合においては、以下のとおり装着物の係止部構造の効果をより発揮できる。
【００２５】
装着物６を取り付けるときは、係止部構造本体Ａの上面および下面を直に指でつまみ引き伸ばし、図３のように係止孔３の隙間を広げて、装着物の係止部４が通過できる孔をつくる。よって、前記帯状弾性体１および帯状弾性体２の横幅および形成が用いられた場合においては、帯状弾性体１よりも帯状弾性体２の横幅の方が狭いため、前記帯状弾性体２の伸縮力によれば、係止孔３の伸縮が容易にできる。
【００２６】
前記帯状弾性体１および帯状弾性体２の横幅および形成が用いられた場合においては、帯状弾性体１の配置本数よりも、帯状弾性体２の配置本数の方が多く配置できるため、係止孔３の数も多数配置できる。よって、装着物６を取り付ける位置の選択箇所も同様に多数配置できる。
【００２７】
前記帯状弾性体１および帯状弾性体２の横幅および形成が用いられた場合においては、係止孔３は、ほぼ隙間なく形成されている。よって、係止部構造本体Ａである帯状弾性体の密度が高くなり、装着物６の係止が安定する。また、係止部構造本体Ａの耐久性が向上し、型崩れや変形を起こしにくい利点もある。
【００２８】
しかし、帯状弾性体１および帯状弾性体２の両方に、横幅の狭い帯状弾性体で、ほぼ隙間なく交互に浮き沈みさせて通し、編目状に係止部構造本体Ａが形成された場合においては、係止部構造本体Ａである帯状弾性体の密度が、必要以上に高くなり、係止孔３の伸縮に力を要する。よって、装着物の係止部４を係止孔３の隙間に通すことが容易でなくなる
。
【００２９】
また、帯状弾性体１および帯状弾性体２の両方に、横幅の広い帯状弾性体で、ほぼ隙間なく交互に浮き沈みさせて通し、編目状に係止部構造本体Ａが形成された場合においては
、装着物６の係止は安定するが、帯状弾性体１および帯状弾性体２の交差する隙間である係止孔３の数が減少する。そのことによって装着物６が取り付けられる箇所が限られてしまう。
【００３０】
なお、係止部構造本体Ａは、帯状弾性体１および帯状弾性体２の隙間を広く取って交互に浮き沈みさせて通し、編目状に形成された場合においては、帯状弾性体１および帯状弾性体２の交差する隙間である係止孔３が常に開いた状態になるため、装着物６の係止が安
定せず装着物６が脱落する。さらに、係止部構造本体Ａである帯状弾性体の密度が低いため、係止部構造本体Ａの型崩れや変形を起こしやすい。
【００３１】
前記いずれにおいても、係止部構造本体Ａの帯状弾性体１および帯状弾性体２の配置本数については、本発明の係止部構造の効果を発揮できる配置本数となるように、用途に応じて調整して配置および形成されることが好ましいことにかわりはない。
【００３２】
本発明によれば、装着物には、装着物の係止部構造に係止可能となるように構成された係止部が設けられたことを特徴としている。  
【００３３】
すなわち、装着物６には、係止孔３に係止可能となるように、装着物の係止部４と装着物の軸部５が設けられている。なお、装着物の軸部５については、装着物６と装着物の係止部４を結合させるためのものである。
【００３４】
装着物６に設けられる装着物の係止部４の形状は、丸型で平らなものが安全であり、さらに脱着が容易なため好ましい。また、装着物の係止部４の大きさは、係止孔３の隙間を通過できる大きさであればよい。なお、図９のように装着物の係止部４が係止孔３へ係止された状態の係止部構造本体Ａの大きさと比較し、係止部構造本体Ａから極端にはみ出るほど大きすぎないほうが、外見上見栄えが良いため好ましい。
【００３５】
前記装着物６に設けられる装着物の係止部４の素材については、図９のように係止孔３に装着物の係止部４が取り付け可能であれば、脱着の恐れは低下するためどのような素材でも差し支えない。
【００３６】
また、装着物の軸部５の縦の長さは、係止部構造本体Ａの厚さと同程度の長さで形成されることが好ましい。その装着物の軸部５の縦の長さが調整されることにより、係止孔３に装着物６が取り付けられた後、係止孔３の表面に装着物の軸部５が極端に飛び出さないようになるため外見上見栄えが良くなる。しかも、係止孔３に取り付けられた装着物６についても、係止孔３と密接し、収まりが良くなり安定する。
【００３７】
さらに、装着物６を係止孔３へ係止させることを考えれば、装着物の軸部５の太さは可能な限り細い方が好ましい。細い形状であれば、係止時において、係止部構造本体Ａである帯状弾性体１および帯状弾性体２の不必要な盛り上がりを軽減させることができ、外見上見栄えも良くなる。
【００３８】
装着物の軸部５の素材については、装着物６および装着物の係止部４の素材によって結合手段が異なるが、糸や針金、ワイヤーのような細い素材で形成されることが好ましい。または、フックやスナップボタンのような留め具を、装着物６と装着物の係止部４の双方に固着し、取り外しできる構造でも装着物の軸部５に値する部分があれば脱着はできる。
【００３９】
本発明は、服飾類に脱着孔を設け、その脱着孔の内側を、本発明の装着物の係止部構造
である係止部構造本体Ａで塞ぐように配置し形成されたことを特徴とする係止パッド１１である。なお、前記係止パッド１１は、鞄の持ち手１０などの服飾類へ装着させることができ、前記服飾類ならびに装着物を傷つけずに、大きさの異なる複数の装着物を、同時に取り付けることができることを特徴とする。
【００４０】
係止パッド１１は、図６のように服飾類７Ａの片端および服飾類７Ｂの片端が横に平行に接するように配置されたものが、図１または図２の係止部構造本体Ａの上面に重ね合わせて配置される。服飾類８Ａの片端の一部および服飾類８Ｂの片端の一部を平行に上下重ね合わせて配置されたものが、図１または図２の係止部構造本体Ａの下面に重ね合わせて配置される。なお、図１または図２の係止部構造本体Ａの配置位置は、図４のように係止パッド１１の片側に寄せて形成されるように配置される。さらに、図１または図２の係止部構造本体Ａが服飾類７および服飾類８からはみ出さないように、服飾類７および服飾類８の全端一周を縫着や溶接などで固定される。また、図４および図５のように、前記服飾類７および服飾類８に対し面ファスナー９が設置されている。以上の形状が基本構成となるように形成される。        
【００４１】
なお、図６のように服飾類７Ａの片端および服飾類７Ｂの片端が平行に接するように配置された隙間と、服飾類８Ａの片端および服飾類８Ｂの片端の一部を平行に上下に重ね合わせて配置された隙間は、装着物６を取り付けるときの脱着孔になる。
【００４２】
また、面ファスナー９は、図７のように係止パッド１１を鞄の持ち手１０に巻きつけて固定するためのものである。
【００４３】
本発明の係止パッド１１は、次のようにして作製することができる。なお、以下において本発明の係止部構造本体Ａは図１に基づいて説明を行う。
【００４４】
本発明の係止パッド１１は、図６のように服飾類７Ａおよび服飾類７Ｂから形成された脱着孔を、係止部構造本体Ａとなる帯状弾性体１Ａおよび帯状弾性体１Ｂが平行に接している辺、つまり複数の係止孔３の上面に重ね合わせて配置される。さらに、複数の係止孔３の下面に服飾類８Ａおよび服飾類８Ｂから形成された脱着孔が、帯状弾性体１Ａおよび帯状弾性体１Ｂを横に平行に配置されたときの横幅の範囲内に収まる位置に重ね合わせて配置される。
【００４５】
なお、服飾類７および服飾類８から形成された脱着孔およびその脱着孔に重ね合わせて配置された係止部構造本体Ａの配置位置は、図４のように係止パッド１１の片側に寄せて配置された方が、以下の理由により好ましい。
【００４６】
前記形状の係止パッド１１を鞄の持ち手１０に装着される場合は、図７のように鞄の持
ち手１０の底面に係止パッド１１の服飾類８側を当てて、服飾類７で形成された脱着孔の
ある面が表面になるように巻きつけて装着される。そのような装着方法が最も容易であり
、かつ外見上見栄えも良い。
【００４７】
前記形状の係止パッド１１であれば、係止パッド１１を鞄の持ち手１０に巻きつけた隙間から、係止部構造本体Ａの上面および下面を直に指でつまみ引き伸ばし、係止孔３を広げることができるため、鞄の持ち手１０から係止パッド１１を取り外すことなく装着物６を脱着することができる。
【００４８】
しかし、服飾類７および服飾類８から形成された脱着孔およびその脱着孔に重ね合わせて配置された係止部構造本体Ａの配置位置が、図４のように係止パッド１１の片側に寄せて配置される形状以外の位置、たとえば係止パッド１１のほぼ中央の位置に形成された場合においては、服飾類７で形成された脱着孔がある面が表面になるように、鞄の持ち手１０に係止パッド１１を巻きつけて鞄の持ち手１０の底面で固定されることになるため、服飾類７で形成された脱着孔が両脇から下へ引っ張られ左右に開き、係止部構造本体Ａ上面の一部がむき出しになる。その状態は外見上見栄えが良くないため好ましくない。さらに
、鞄の持ち手１０から係止パッド１１を取り外すことなく、装着物６を脱着することも容易ではなくなる。
【００４９】
本発明である係止パッド１１の構成によれば、図７のように鞄の持ち手１０に巻きつけて、面ファスナー９により装着され使用することができる。よって、服飾類７Ａおよび服飾類７Ｂを合わせた全横幅と服飾類８Ａおよび服飾類８Ｂを合わせた全横幅は、巻きつける対象の大きさに合わせて適宜調整する必要がある。
【００５０】
なお、前記適宜調整された係止パッド１１の横幅については、図７のように鞄の持ち手１０に巻きつけて、面ファスナー９により装着されるため、面ファスナー９を重ね合わせる横幅は少なくとも必要である。そのため、服飾類７Ａおよび服飾類７Ｂを合わせた全横幅と服飾類８Ａおよび服飾類８Ｂを合わせた全横幅は同一であることが好ましい。さらに
、そのような形成の方が、係止パッド１１そのものの耐久性も向上する。
【００５１】
また、前記適宜調整された係止パッド１１の服飾類７または服飾類８のいずれか一方の服飾類の横幅を、係止部構造本体Ａを覆い隠せる程度の横幅が配置された場合であっても係止パッド１１の使用の妨げにはならないが、耐久性は低下する。
【００５２】
さらに、係止パッド１１の服飾類７および服飾類８の縦の長さについては、係止部構造本体Ａの縦の長さと同一であるか、係止部構造本体Ａの縦の長さを覆い隠せる程度の縦の長さが必要である。なぜなら、係止部構造本体Ａは、服飾類７および服飾類８からはみ出さないように配置されている方が、外見上見栄えが良くなるからである。
【００５３】
本発明である係止パッド１１の構成によれば、服飾類８の形状は、図６のように服飾類
８Ａの片端の一部および服飾類８Ｂの片端の一部を平行にかつ上下に重ねて合わせて配置されている。
【００５４】
そのため、前記服飾類８に、一部平行にかつ上下に重ね合わせた横幅分によるゆとりが生じるため、装着物の係止部４の形状による厚みにより係止部構造本体Ａ下面の一部がむき出しになることを軽減することができる。
【００５５】
さらに、装着物の係止部４を、前記服飾類８で形成された脱着孔が覆い隠すことにより
、装着物の係止部４の破損を軽減することができる。                                                                  
【００５６】
なお、服飾類８Ａの片端の一部および服飾類８Ｂの片端の一部を平行にかつ上下に重ね合わせる順序は、服飾類８Ａまたは服飾類８Ｂどちらが下になっても差し支えない。
【００５７】
また、前記係止パッド１１の服飾類８Ａの片端および服飾類８Ｂの片端は、横に平行に接するように形成されても、本発明である装着物の係止部構造の効果に支障はない。しかし、装着物６が係止パッド１１に取り付けられた後、装着物の係止部４の形状による厚みにより服飾類８Ａおよび服飾類８Ｂから形成された脱着孔が押されて広がり、係止部構造本体Ａ下面の一部がむき出しになるため外見上見栄えが良くないため好ましくはない。
【００５８】
あるいは、服飾類８の構成の変形例として、装着物の係止部４の保護目的のため、あえて服飾類８に脱着孔を設けず、係止パッド１１を形成されても、本発明である装着物の係止部構造の効果に支障はない。しかし、装着物６を取り付けるにあたって、係止パッド１１の係止部構造本体Ａの上面および下面を直に指でつまみ引き伸ばし、係止孔３を広げる方法が最も容易であることから、係止パッド１１の下面の服飾類８に脱着孔を設けて形成された方が使用上好ましいといえる。
【００５９】
係止パッド１１の服飾類７および服飾類８の素材については限定しないが、前記服飾類７および服飾類８に同素材が用いられる場合は、次のような配置方法および形状も考えられる。係止部構造本体Ａの係止孔３に重ね合わせて配置された、服飾類７Ａからなる脱着孔の縦側を起点として外に向かい、係止部構造本体Ａを上面から下面に向けて覆い隠すように服飾類７Ａが配置される。さらに服飾類７Ｂも同様に、係止部構造本体Ａの係止孔３に重ね合わせて配置された、服飾類７Ｂからなる脱着孔の縦側を起点として外に向かい、係止部構造本体Ａを上面から下面に向けて覆い隠すように配置される。つまり、服飾類７Ａと服飾類８Ａを縫着や溶接するのではなく、初めから切り離さずに１つの服飾類として係止パッド１１が形成されることになる。
【００６０】
なお、前記係止パッド１１の係止部構造本体Ａの下面については、服飾類７Ａの終点部分である片端の一部と服飾類７Ｂの終点部分である片端の一部を平行にかつ上下に重ね合  わせる。また、服飾類７Ａの片端の一部および服飾類７Ｂの片端の一部を平行にかつ上下に重ね合わせる順序は、どちらが下になっても差し支えない。このように服飾類が配置されても、本発明である装着物の係止部構造の効果は損なわれない。
【００６１】
本発明である係止パッド１１を構成する形状を維持するためには、図６のように配置された服飾類７Ａおよび服飾類７Ｂと、係止部構造本体Ａと服飾類８Ａおよび服飾類８Ｂからなる係止パッド１１の全端一周を、縫着や溶接などで固定する。かつ、係止パッド１１の上面および下面に配置された脱着孔を左右に広げたときに、係止部構造本体Ａが服飾類からずれることを防止する目的として、係止部構造本体Ａの帯状弾性体１Ａおよび帯状弾性体１Ｂの横幅となる両端のわずかな内側と、服飾類７Ａおよび服飾類７Ｂと服飾類８Ａおよび服飾類８Ｂを、縫着や溶接などで固定する。
【００６２】
本発明である係止パッド１１の構成によれば、係止パッド１１は、鞄の持ち手１０に巻きつけて装着されるため、服飾類７および服飾類８に面ファスナー９が設置されている。面ファスナー９は、係止パッド１１を鞄の持ち手１０に巻きつけて装着されたとき、図７のように係止パッド１１の両端が平行に重なり合う面に適宜設置されていた方が好ましい。                  
【００６３】
なお、面ファスナー９は、図７のように鞄の持ち手１０の横幅と平行になるように係止パッド１１の両端に設置される方が、服飾類８側に設置された係止パッド１１の脱着孔の開口範囲を最大限生かすことができ、前記脱着孔を塞ぐ、係止部構造本体Ａからなる係止孔３の有効範囲も同様に最大限生かすことができる。なおかつ、前記面ファスナー９の配置位置であれば、係止パッド１１の両端に同等の装着力が生じるため、係止パッド１１は鞄の持ち手１０から容易に外れることはない。
【００６４】
しかし、服飾類７および服飾類８の素材または用途に応じて、面ファスナー９の設置位置および設置箇所の数を調整されても、本発明の主旨に反しない限り差し支えない。
【００６５】
また、面ファスナー９は、係止パッド１１形成後に服飾類７および服飾類８に縫着や溶接で設置される。もしくは、係止パッド１１形成前の服飾類７および服飾類８にあらかじめ縫着や溶接で設置されても差し支えない。
【００６６】
図７では係止パッド１１を鞄の持ち手１０に装着するためには、面ファスナー９が設置されている。しかし、装着手段はこれに限定されるものではなく、フックやスナップボタン等の留め具、または紐で結んでも差し支えない。
【００６７】
本発明の係止パッド１１の使用方法および実施形態の一例として、以下のとおり具体的に説明するが、本発明はこれらの実施形態のみに限定されるものではない。
【００６８】
使用方法として、係止パッド１１に装着物６を取り付けるときは、図８のように係止部
構造本体Ａの上面および下面を直に指でつまみ引き伸ばし、係止孔３の隙間を広げて、装着物の係止部４を通過させる。装着物の係止部４が係止孔３を通過した後は、図９のように係止孔３が収縮し、図１０のように装着物の軸部５を係止して装着物６が脱落することを防止する。
【００６９】
なお、装着物の係止部構造に係止部構造本体Ａが用いられているため、装着物６の取り外しおよび他の装着物への交換取り付けが、安全にかつ容易にできる形成であることは言うまでもない。
【００７０】
また、係止パッド１１には、図１１のように係止孔３に使用者の好みに応じて、大きさの異なる複数の装着物６を同時に、かつ容易に取り付けることができる。
【００７１】
なお、取り付け順序は、係止パッド１１に装着物６を取り付けてから、鞄の持ち手１０に係止パッド１１を装着しても差し支えない。
【００７２】
係止パッド１１の実施形態の一例として、図１２のように鞄の持ち手１０に巻きつけて装着し、肩に掛けて使用されることが挙げられる。
【００７３】
なお、装着物６を係止パッド１１に取り付けることにより、装着物６が肩に乗っているように見えて斬新でユニークな印象を、観者に与えられるという優れた効果を有する。
【００７４】
上記実施形態において、鞄をもう一方の肩に掛け替えたときに、装着物６が取り付け時と逆向きになることが想定されるが、本発明の係止部構造本体Ａは図９および図１０のように、帯状弾性体１および帯状弾性体２から形成される係止孔３に、装着物の軸部５が挟み込まれて収縮される構造のため、装着物６の向きを容易にかえることができる。
【００７５】
また、係止パッド１１を介さずに、鞄の持ち手１０を手で握り、単なる鞄の持ち手１０として使用したい場合には、図１３のように係止パッド１１の装着位置を容易に移動させることができるため、鞄の持ち手１０の使用を妨げることにもならないという優れた効果も有する。
【００７６】
なお、図１２のように鞄の持ち手１０に巻きつけて装着し、肩に掛けて使用する図を示したが、実施例はこれに限らず、係止パッド１１に装着物６を取り付けてそのまま棚等に置いて観賞用として飾ることもできる。
【００７７】
また、係止パッド１１は乳児用にベビーカーの持ち手、乳幼児のシートベルトなど用途に応じて様々な箇所に装着することができる。
【００７８】
さらに、本発明の係止パッド１１は、係止部構造本体Ａに服飾類７および服飾類８を施
して形成されているが、服飾類７および服飾類８を施さずに、係止部構造本体Ａを鞄や衣類などに直接施して製造することもできる。そのため、ボタンや装飾品または名札などの装着物の係止部として、幅広く使用することもできる。
【００７９】
なお、係止パッド１１に取り付けられる装着物６の形状や素材については、本図では動物のぬいぐるみや花などが使用されているが、使用者の好みに応じてキャラクター商品やボタンまたは名札など、どのようなものを使用しても差し支えない。
【符号の説明】
【００８０】
Ａ    係止部構造本体
１    帯状弾性体
２    帯状弾性体
３    係止孔
４    装着物の係止部    
５    装着物の軸部
６    装着物
７    服飾類
８    服飾類
９    面ファスナー
１０  鞄の持ち手
１１  係止パッド
【図１】
2013042943.tif 000003
【図２】
2013042943.tif 000004
【図３】
2013042943.tif 000005
【図４】
2013042943.tif 000006
【図５】
2013042943.tif 000007
【図６】
2013042943.tif 000008
【図７】
2013042943.tif 000009
【図８】
2013042943.tif 000010
【図９】
2013042943.tif 000011
【図１０】
2013042943.tif 000012
【図１１】
2013042943.tif 000013
【図１２】
2013042943.tif 000014
【図１３】
2013042943.tif 000015